(57)【要約】      （修正有）【課題】ポンプ付きキャップを取り外さずに、液体内容物を簡単に補充することが可能な液吐出式プラスチックボトルを提供する。【解決手段】液吐出式プラスチックボトル１は、内部にシャンプー等の液体内容物が収容されて頂部に口部３を設ける容器本体２と、口部３に取り付けられて液体内容物を吐出又は噴射させるポンプ付きキャップ４とを備える。上記容器本体２は、液体内容物を収容保持する主体部分となる筒状の胴部２１と、胴部２１の上端に連設されて上方に縮径する肩部２２と、肩部２２の上端に立設する上記口部３とを有する。上記肩部２２には、容器本体２内に連通する液体内容物補充用の専用口５が設けられ、上記専用口５には、この専用口５を開閉自在とする専用口用キャップ６が取り付けられている。【選択図】図２
2018012533.tif 000002
【特許請求の範囲】
【請求項１】
内部にシャンプー等の液体内容物が収容されて頂部に口部を設ける容器本体と、口部に取り付けられて液体内容物を吐出又は噴射させるポンプ付きキャップとを備える液吐出式プラスチックボトルにおいて、
上記容器本体は、液体内容物を収容保持する主体部分となる筒状の胴部と、胴部の上端に連設されて上方に縮径する肩部と、肩部の上端に立設する上記口部とを有し、
上記肩部には、容器本体内に連通する液体内容物補充用の専用口が設けられ、
上記専用口には、この専用口を開閉自在とする専用口用キャップが取り付けられている液吐出式プラスチックボトル。
【請求項２】
請求項１に記載の液吐出式プラスチックボトルにおいて、
上記専用口は、肩部から立設する筒口部と、筒口部の外周面に形成する第１嵌合部とを有し、
上記専用口用キャップは、専用口の筒口部に嵌め込み式に取り付ける筒状の取付け枠部と、取付け枠部に着脱可能に取り付けられて上記専用口を塞ぐ口栓部とを有し、
上記取付け枠部は、専用口の筒口部内周面と嵌合する内筒部と、内筒部の上端から連設して内筒部外周面に沿って折り返されて上記筒口部の第１嵌合部と嵌合する第２嵌合部を設けた外筒部とを有する液吐出式プラスチックボトル。
【請求項３】
請求項１に記載の液吐出式プラスチックボトルにおいて、
上記専用口は、肩部から立設する筒口部と、筒口部の外周面に形成する第１嵌合部とを有し、
上記専用口用キャップは、専用口の筒口部に嵌め込み式に取り付ける筒状の取付け枠部と、取付け枠部と嵌合して上記専用口を塞ぐ口栓部と、取付け枠部と口栓部を連結する連結帯紐とを一体的に有し、
上記取付け枠部は、専用口の筒口部内周面と嵌合する内筒部と、内筒部の上端から連設して内筒部外周面に沿って折り返されて上記筒口部の第１嵌合部と嵌合する第２嵌合部を設けた外筒部とを有し、
上記口栓部は、上記取付け枠部の内筒部内周面と嵌合する凸栓部と、凸栓部から外方へ延設されて表面に滑り止め用凸部を形成する摘み舌片とを有する液吐出式プラスチックボトル。
【請求項４】
請求項１〜３のいずれか１項に記載の液吐出式プラスチックボトルにおいて、
上記専用口用キャップは、液体内容物の種類を識別するための色が施されている液吐出式プラスチックボトル。
【請求項５】
請求項１〜４のいずれか１項に記載の液吐出式プラスチックボトルにおいて、
上記容器本体の胴部表面には、液体内容物の種類を識別するための色が施された有色の識別部品が着脱自在に取り付けられている液吐出式プラスチックボトル。
【発明の詳細な説明】
【技術分野】
【０００１】
本発明は、主にシャンプー、リンス等の液体内容物を収容する液吐出式プラスチックボトルに関する。
【背景技術】
【０００２】
従来、液吐出式プラスチックボトルは、内部にシャンプー等の液体内容物が収容されて頂部に口部を有する容器本体と、口部に取り付けられて液体内容物を吐出又は噴射させるポンプ付きキャップとを備えている。この液吐出式プラスチックボトルは、シャンプー等の液体内容物を使い切ると、上部のポンプ付きキャップを取り外して口部から液体内容物を補充して何度も使用することができる。
【先行技術文献】
【特許文献】
【０００３】
【特許文献１】実開平６−３８５７号公報
【発明の概要】
【発明が解決しようとする課題】
【０００４】
上記のように、従来の液吐出式プラスチックボトルでは、液体内容物の補充はポンプ付きキャップを取り付けた口部を通じて行っていた。ポンプ付きキャップには、下部に吸上げチューブが接続され上部に手押しポンプが設けられている。そのため、口部を通じて液体内容物を補充するに際して、吸上げチューブや手押しポンプが邪魔でポンプ付きキャップの取り外しが煩わしく、取り外したポンプ付きキャップの置き場所にも困り、また、吸上げチューブに付着した液体内容物が垂れて床を汚したり手に着いたりし掃除や手洗い等の後始末が強いられていた。このように、従来の液吐出式プラスチックボトルでは、液体内容物の補充には、ポンプ付きキャップの取り外しが必要であることから、その作業や後始末が非常に面倒であり手間がかかっていた。
【０００５】
一方、液吐出式プラスチックボトルとして、シャンプー、リンス、ボディーソープ等は、通常、浴室内の同じ棚等に並べて置かれ、外形形状が同一又は類似しており、また、容器本体にシャンプー等の表示が印刷されていても見難かったりする等して、そのプラスチックボトルに収容する液体内容物を直ちに識別することが容易でなかった。そのため、液体内容物の補充の際に間違った種類の液体内容物を補充してしまうこともあった。
【０００６】
本発明は、以上の事情に鑑みてなされたものであり、ポンプ付きキャップを取り外さずに、液体内容物を簡単に補充することが可能な液吐出式プラスチックボトルを提供することを目的とする。
また、液体内容物の補充の際に間違った種類の液体内容物を補充してしまわないように外見から液体内容物の種類を容易に識別することを可能とする液吐出式プラスチックボトルを提供することも目的とする。
【課題を解決するための手段】
【０００７】
本発明に係る液吐出式プラスチックボトルは、
内部にシャンプー等の液体内容物が収容されて頂部に口部を設ける容器本体と、口部に取り付けられて液体内容物を吐出又は噴射させるポンプ付きキャップとを備える液吐出式プラスチックボトルにおいて、
上記容器本体は、液体内容物を収容保持する主体部分となる筒状の胴部と、胴部の上端に連設されて上方に縮径する肩部と、肩部の上端に立設する上記口部とを有し、
上記肩部には、容器本体内に連通する液体内容物補充用の専用口が設けられ、
上記専用口には、この専用口を開閉自在とする専用口用キャップが取り付けられている。
【０００８】
上記専用口は、肩部から立設する筒口部と、筒口部の外周面に形成する第１嵌合部とを有し、
上記専用口用キャップは、専用口の筒口部に嵌め込み式に取り付ける筒状の取付け枠部と、取付け枠部に着脱可能に取り付けられて上記専用口を塞ぐ口栓部とを有し、
上記取付け枠部は、専用口の筒口部内周面と嵌合する内筒部と、内筒部の上端から連設して内筒部外周面に沿って折り返されて上記筒口部の第１嵌合部と嵌合する第２嵌合部を設けた外筒部とを有する構成とするのが望ましい。
【０００９】
上記専用口は、肩部から立設する筒口部と、筒口部の外周面に形成する第１嵌合部とを有し、
上記専用口用キャップは、専用口の筒口部に嵌め込み式に取り付ける筒状の取付け枠部と、取付け枠部と嵌合して上記専用口を塞ぐ口栓部と、取付け枠部と口栓部を連結する連結帯紐とを一体的に有し、
上記取付け枠部は、専用口の筒口部内周面と嵌合する内筒部と、内筒部の上端から連設して内筒部外周面に沿って折り返されて上記筒口部の第１嵌合部と嵌合する第２嵌合部を設けた外筒部とを有し、
上記口栓部は、上記取付け枠部の内筒部内周面と嵌合する凸栓部と、凸栓部から外方へ延設されて表面に滑り止め用凸部を形成する摘み舌片とを有する構成とするのが望ましい。
【００１０】
上記専用口用キャップは、液体内容物の種類を識別するための色が施されたり、また、上記容器本体の胴部表面には、液体内容物の種類を識別するための色が施された有色の識別部品が着脱自在に取り付けられている構成とするのが望ましい。
【発明の効果】
【００１１】
以上のように、本発明に係る液吐出式プラスチックボトルによれば、ポンプ付きキャップを取り付けた口部とは別口となった専用口を設けることにより、ポンプ付きキャップを取り外さず、専用口を通じて液体内容物を補充することができ、液体内容物の補充の際の面倒な作業や手間等から解放され、液体内容物の補充を簡単且つ円滑に行うことができる。
【００１２】
また、専用口用キャップは、液体内容物の種類を識別するための色を施すことにより、専用口用キャップの外見の色から液体内容物の種類を瞬時に且つ容易に識別することができ、間違った種類の液体内容物を補充するような補充ミスを防止することができる。
【図面の簡単な説明】
【００１３】
【図１】実施形態による液吐出式プラスチックボトルを示す正面図である。
【図２】実施形態による液吐出式プラスチックボトルを示す側面図であり、同図（ａ）は専用口を閉じた状態を示す側面図、同図（ｂ）は専用口を開いた状態を示す側面図である。
【図３】容器本体において専用口及び専用口用キャップの構成を示すための一部断面図である。
【図４】実施形態の液吐出式プラスチックボトルにおいて、専用口用キャップの変形例を示す正面図である。
【図５】専用口用キャップの変形例の構成を示す断面図である。
【発明を実施するための形態】
【００１４】
以下に、本発明による実施形態について図面を参照しながら説明する。
実施形態の液吐出式プラスチックボトル１は、シャンプー、リンス、ボディーソープ等の液体内容物を収容する容器として使用されるが、これに限らず、ハンドソープ、洗顔用ソープ、化粧水等の各種の液体内容物のプラスチックボトルとして使用することができる。
【００１５】
図１、図２に示すように、液吐出式プラスチックボトル１は、内部にシャンプー等の液体内容物が収容される容器本体２と、容器本体２の上端となる頂部に設けられる口部３と、口部３に取り付けられるポンプ付きキャップ４とを備えている。
【００１６】
ポンプ付きキャップ４は、容器本体２の口部３にそのネジ３１と螺合させて取り付けられる円筒状のキャップ本体４１と、キャップ本体４１の上部に配設されてノズル４２と一体となった手押しポンプ４３と、キャップ本体４１の下部に配設されて手押しポンプ４３と接続されている吸上げチューブ４４とを有している。このポンプ付きキャップ４により、手押しポンプ４３を押し下げると、吸上げチューブ４４により容器本体２内の液体内容物を吸い上げて一定量の液体内容物がノズル４２から吐出される。なお、ポンプ付きキャップ４は、手押しポンプ４３に代えてスプレーガンを備え付け、スプレーガンのレバーを引くと、吸上げチューブ４４により容器本体２内の液体内容物を吸い上げて一定量の液体内容物がノズルから噴射されるものであってもよい。
【００１７】
容器本体２は、液体内容物を収容保持する主体部分となる筒状の胴部２１と、胴部２１の上端に連設されて上方に縮径する肩部２２と、肩部２２の上端に立設する口部３とを有している。肩部２２には、ポンプ付きキャップ４を取り付けた口部３とは別口として、液体内容物補充用の専用口５が容器本体２内に連通するように設けられている。専用口５には、この専用口５を開閉自在とする専用口用キャップ６が取り付けられている（図２（ａ）（ｂ））。
【００１８】
図３に示すように、専用口５は、肩部２２から立設する筒口部５１と、筒口部５１の外周面に突設する第１嵌合部５２と有している。専用口用キャップ６は、専用口５の筒口部５１に取り付ける筒状の取付け枠部６１と、取付け枠部６１と嵌合して専用口５を塞ぐ口栓部６２と、取付け枠部６１と口栓部６２を連結する連結帯紐６３とを一体的に有している。
【００１９】
取付け枠部６１は、専用口５の筒口部５１内周面と嵌合する内筒部６１ａと、内筒部６１ａの上端から連設して内筒部６１ａ外周面側に折り返された外筒部６１ｂとを有している。外筒部６１ｂの内周面には筒口部５１の第１嵌合部５２と嵌合する第２嵌合部６１ｃが設けられている。口栓部６２は、取付け枠部６１の内筒部６１ａ内周面と嵌合する凸栓部６２ａと、凸栓部６２ａの上端外周に張り出すフランジ部６２ｂと、フランジ部６２ｂに連続して凸栓部６２ａの外方へ延設されて表面及び裏面に滑り止め用凸部６２ｄを形成する摘み舌片６２ｃとを有している。
【００２０】
以上の構成の液吐出式プラスチックボトル１によれば、液体内容物を補充する際は、ポンプ付きキャップ４を取り付けた口部３とは別口となった専用口５の専用口用キャップ６を取り外し、この専用口５から液体内容物を補充することができる。従って、ポンプ付きキャップ４を取り外さずに専用口５を通じて液体内容物を簡単に補充することができる。よって、液体内容物の補充に際して、ポンプ付きキャップ４の取り外しの煩わしさ、ポンプ付きキャップ４の置き場所の確保、さらにはポンプ付きキャップ４から液垂れした場所の清掃等の後始末等といった面倒な作業や手間等から解放され、液体内容物の補充を簡単且つ円滑に行うことができる。
【００２１】
専用口５は、容器本体２の胴部２１より上の肩部２２に設けられているので、専用口５から液体内容物を補充しているときに液体内容物が専用口５から溢れ出すことなく十分な量の液体内容物を補充することができる。
【００２２】
肩部２２には、専用口５と対称位置（容器本体２の上下方向中心線に対して線対称位置）に取っ手２３が容器本体２と一体形成されている。これにより、例えば１Ｌ容量以上等のような大きなプラスチックボトル１でも、取っ手２３をつかんで液体内容物の補充を行うことにより、液体内容物の補充作業を円滑に行うことができる。
【００２３】
また、容器本体２の専用口５は、専用口用キャップ６を嵌め込み式に取り付けるようにし、ネジを設けない構造とするので、容器本体２をブロー成形により製造する場合でも専用口５を設計どおりに簡単に形成することができる。
【００２４】
専用口用キャップ６の口栓部６２は、摘み舌片６２ｃを指で摘まんで引っ張ることにより簡単に開栓でき、また口栓部６２を取付け枠部６１内に押し込むことにより簡単に閉栓できる。この場合、口栓部６２の閉栓状態では摘み舌片６２ｃの先端が下方向きとなっているので、上方のポンプ付きキャップ４が障害とならず摘み舌片６２ｃを容易に摘まみ上げることができる。従って、ネジ３１式のキャップに比べて、ワンタッチで容器本体２の専用口５を開栓・閉栓することができ、液体内容物の補充時の作業性を円滑に行うことができる。この専用口用キャップ６の口栓部６２は、摘み舌片６２ｃと対称位置に形成する連結帯紐６３が取付け枠部６１と連結されているので、開栓時に口栓部６２が紛失することもない。
【００２５】
また、専用口用キャップ６は、例えば、シャンプー、リンス、ボディーソープ等のような液体内容物の種類を識別するための色が施されている。この専用口用キャップ６の色は、容器本体２の色とは異なる色とされる。これにより、液体内容物の種類を表示した文字と比べて、専用口用キャップ６の外見の色から収容する液体内容物の種類を瞬時に且つ容易に識別することができる。液体内容物の表示文字が、例えば高齢者等にとっては小さかったり英語であったり等して見難い場合でも、液体内容物の補充時には専用口用キャップ６を必然的に見ることとなるので、専用口用キャップ６の色から液体内容物の種類を識別することができる。従って、液体内容物の補充の際に間違った種類の液体内容物を補充するような補充ミスを防止することができる。
【００２６】
さらに、容器本体２の胴部２１表面には、専用口用キャップ６と同じ色が施された有色の識別部品７が着脱自在に取り付けられている。従って、専用口用キャップ６とともに識別部品７の色からも液体内容物の種類を識別することができ、より一層、瞬時に且つ容易に液体内容物の種類の識別判断を行うことができる。
【００２７】
識別部品７は、容器本体２の胴部２１周方向の形状に倣った湾曲帯状の樹脂成形品等で形成され、容器本体２の胴部２１には、その表面に識別部品７を着脱自在に嵌め込む嵌め込み部２４となる凹部２４ａが胴部２１周方向に延びるように一体形成されている。なお、この凹部２４ａよりなる嵌め込み部２４の下端部又は上端部を胴部２１表面よりも突出させて持ち手や指が引っ掛かる滑り止め部を設ける構成としてもよい。また、識別部品７の嵌め込み部２４として、凹部２４ａに代えて、胴部２１周方向に延びる上下二本の凸部を一体形成してこの上下二本の凸部間に識別部品７を嵌め込む構成としてもよく、この場合、胴部２１の表面よりも突出する凸部が持ち手や指が引っ掛かる滑り止め部をも構成することができる。
【００２８】
以上より、本実施形態の液吐出式プラスチックボトル１によれば、ポンプ付きキャップ４を取り付けた口部３とは別口となった専用口５を設けることにより、ポンプ付きキャップ４を取り外さず、専用口５を通じて液体内容物を補充することができ、液体内容物の補充の際の面倒な作業や手間等から解放され、液体内容物の補充を簡単且つ円滑に行うことができる。また、専用口用キャップ６は、液体内容物の種類を識別するための色を施すことにより、専用口用キャップ６の外見の色から液体内容物の種類を瞬時に且つ容易に識別することができ、間違った種類の液体内容物を補充するような補充ミスを防止することができる。
【００２９】
次に、専用口用キャップ６の変形例を説明する。
図４、図５にそれぞれ示した専用口用キャップ６Ａ，６Ｂは、ネジ式に容器本体２の専用口５を開閉する構成としたものである。
図５（ａ）の専用口用キャップ６Ａでは、取付け枠部６１は、上部に延長筒部６２０を形成し、この延長筒部６２０の外周面にネジＮ１を設けたものである。口栓部６２Ａは、延長筒部６２０のネジＮ１と螺合するネジＮ２を内周面に設けた筒体６２０により構成される。この筒体６２０の上端外周部には、外方へ張り出す４つの指掛け部６２１が一体に設けられている。従って、指掛け部６２１に指を掛けて口栓部６２Ａを回すと、ネジＮ１，Ｎ２の作用により口栓部６２Ａを取付け枠部６１に着脱することができ、口栓部６２Ａを取り外すことにより容器本体２の専用口５が開放される。
【００３０】
また、図５（ｂ）の専用口用キャップ６Ｂでは、図５（ａ）の専用口用キャップ６Ａと異なるところとして、取付け枠部６１は、外筒部６１ｂの外周面にネジＮ１を設け、延長筒部６２０を形成しないようにしたものであり、口栓部６２Ａは、この外筒部６１ｂのネジＮ１と螺合するネジＮ２を内周面に設けた筒体６２０により構成する。この場合、図５（ａ）の専用口用キャップ６Ａと比べて、口栓部６２Ａを低く取り付けることができ、専用口用キャップ６Ｂを容器本体２の表面から高く出っ張らない構成とすることができる。
【００３１】
図５（ａ）（ｂ）に示した各専用口用キャップ６Ａ，６Ｂにおいて、取付け枠部６１は、口栓部６２Ａとは分離して形成されているが、図３に示した実施形態と同様に、容器本体２における専用口５の筒口部５１に対して嵌め込み式に取り付けられている。従って、この取付け枠部６１を設けることにより、容器本体２の専用口５は、ネジを設けることなくブロー成形により容器本体２を製造する際に簡単に形成できる構成とすることができる。
【００３２】
なお、図５（ａ）（ｂ）に示した口栓部６２Ａでは、指掛け部６２１を設けるが、このような指掛け部６２１を設けず、口栓部６２Ａの筒体６２０の外周面に複数の縦溝を設ける等のように凹凸面を形成して指の滑り止め構造としてもよい。
【００３３】
なお、本発明は、上記実施形態に限定されず、本発明の要旨の範囲内で様々な変更を施すことが可能である。
例えば、実施形態における専用口用キャップ６は、取付け枠部６１と口栓部６２とを備えるが、専用口用キャップ６としてネジを設けた単一のキャップとし、この単一の専用口用キャップを、容器本体２の専用口５の筒口部５１にもネジを設けてネジ式に開閉する構成としてもよい。
また、口部３に取り付けたポンプ付きキャップ４において、キャップ本体４１、又はキャップ本体４１と手押しポンプ４３をも専用口用キャップ６の色と同じ色を施すことにより、専用口用キャップ６とともにポンプ付きキャップ４の色からも液体内容物の種類を識別できるようにしてもよい。
また、容器本体２は、取っ手２３を設けない構成であってもよい。
【符号の説明】
【００３４】
１  プラスチックボトル
２  容器本体
３  口部
４  ポンプ付きキャップ
５  専用口
６  専用口用キャップ
７  識別部品
２１  胴部
２２  肩部
２３  取っ手
２４  嵌め込み部
２４ａ  凹部
３１  ネジ
４１  キャップ本体
４２  ノズル
４３  手押しポンプ
４４  吸上げチューブ
５１  筒口部
５２  第１嵌合部
６１  取付け枠部
６１ａ  内筒部
６１ｂ  外筒部
６１ｃ  第２嵌合部
６２  口栓部
６２ａ  凸栓部
６２ｂ  フランジ部
６２ｃ  摘み舌片
６２ｄ  滑り止め用凸部
６３  連結帯紐
【図１】
2018012533.tif 000003
【図２】
2018012533.tif 000004
【図３】
2018012533.tif 000005
【図４】
2018012533.tif 000006
【図５】
2018012533.tif 000007